(57)【要約】【目的】本発明は、一戸建て住宅、マンション、アパート住宅等のドアに取り付けて防犯効果を上げるためのドアの施錠機構の改良に関する発明である。【構成】本発明は、上記の課題を解決する為に、ドアの中央部の左端部には本錠前を、ドアの上部の左端部には上補助錠前を、ドアの下部の左端部には下補助錠前を設置したことを特徴とするドアの施錠機構の構成とした。【選択図】  図１
2004197407.tif 000002
【特許請求の範囲】
【請求項１】
ドアの中央部の左端部には本錠前を、ドアの上部の左端部には上補助錠前を、ドアの下部の左端部には下補助錠前を設置したことを特徴とするドアの施錠機構。
【発明の詳細な説明】
【０００１】
【発明の属する技術分野】
本発明は、一戸建て住宅、マンション、アパート住宅等のドアに取り付けて防犯効果を上げるためのドアの施錠機構の改良に関する発明である。
【０００２】
【従来の技術】
従来から一戸建てやマンション、アパート等のドアには、必ず１個の錠が付けられているが、最近では防犯対策の面からドアに付いている１個の錠である主錠の他に、補助錠前を取り付け複数個の錠を用いて施錠している家庭、マンション、アパート等が増えている。
【０００３】
また、最近の一戸建住宅、分譲マンション住宅、アパート等では、防犯効果を上げるために、予めドアに２個の錠が取り付けられていることが一般的にも常識になりつつある。
【０００４】
【発明が解決しようとする課題】
しかしながら、防犯対策が見直されるようになった現在でも、古くからの一戸建て住宅、マンション住宅、アパート住宅等では元からドアに付いていた１個の錠のみの家庭が多く、盗難被害の状況から見ても錠が１個の家の方が２個以上取り付けられている家よりも被害に遭っている。
【０００５】
また、現在市販されている補助錠前は、ドアへの取り付けが難しく、外観的きにも補助錠前が取り付けられていることが分かり易く、外から錠を壊しやすいとの欠点がある。
【０００６】
そこで、本発明は、従来の住宅のドアに容易に取り付けることができ、機能的、外観的にも優れた補助錠前を用いての防犯対策に極めて有効なドアの施錠機構を提供することを目的とするものである。
【０００７】
【課題を解決する為の手段】
本発明は、上記の課題を解決する為に、ドアの中央部の左端部には本錠前を、ドアの上部の左端部には上補助錠前を、ドアの下部の左端部には下補助錠前を設置したことを特徴とするドアの施錠機構の構成とした。
【０００８】
【実施例】
以下に、添付図面に基づいて、本発明であるドアの施錠機構を詳細に説明する。図１から図３は、本発明であるドアの施錠機構を取り付けたドアを示した図である。
【０００９】
図１は、本発明であるドアの施錠機構の正面図である。一戸建て或いはマンション、アパート等の玄関１において、ドア２はサッシ２ａに蝶番２ｄ、２ｅにより外側に開くように扉２ｂが取り付けられており、扉２ｂにはドアノブ２ｃが設けられている。符号２ｃは、ドア２の扉２ｂの左端部の中央部に設置されている本錠前である。符号２ｆは、ドアノブである。
【００１０】
そして、本発明であるドアの施錠機構は、本錠前２ｃと上補助錠前３と下補助錠前３ａとからなる。上補助錠前３と下補助錠前３ａは、扉２ｂの上部の右端部及び下部の左端部にそれぞれ扉２ｂの左端から１０ｃｍ程度の内方の位置に取り付けられている。補助錠前３は、扉２ｂの表面には上補助錠前３及び下補助錠前３ａのシリンダー３ｂ、３ｃのみが露出している。尚、１ａは外灯、１ｂは窓、１ｃはインターホン、１ｄは外壁を示している。
【００１１】
図２は、本発明であるドアの施錠機構の背面図である。玄関１内部のドア２には、扉２ｂにドアノブ２ｆが取り付けられており、ドア２の扉２ｂは外側に開き、ドア２の扉２ｂには開閉の状態を調節するための扉開閉具２ｇが取り付けられている。
【００１２】
扉２ｂの左端部の上部及び下部に取り付けられた上補助錠前３及び下補助錠前３ａは、扉２ｂの背面には上下補助錠前３、３ａを構成する補助錠前の本体４が取り付けられ、ドア２の上部のサッシ２ａには受け金具５が取り付けられている。尚、１ｆは内壁を示す。
【００１３】
図３は、本発明であるドアの施錠機構の左側面図である。図３に示すように、扉２ｂは、玄関１の外側に開くように取り付けられており、扉２ｂの上部の左端部及び下部の左端部には、シリンダー３ｂ、３ｃと錠前本体４からなる上補助錠前３と下補助錠前３ａが取り付けられている。
【００１４】
図４は本発明であるドアの施錠機構を構成する上補助錠前の正面方向から見た斜視図、図５は本発明であるドアの施錠機構を構成する上補助錠前の背面方向から見た斜視図である。
【００１５】
図４及び図５に示すように、扉２ｂの上部の左端部に取り付けられた上補助錠前３は、扉２ｂの表面外側にはキーを差し込むためのシリンダー３ｃが取り付けられ、背面には錠前本体４が取り付けられている。
【００１６】
表面外側からはシリンダー３ｃに設けられた鍵穴に鍵６を差し込み回転させることで、錠前本体４のデッドボルト４ａを上下に移動させることができ、デッドボルト４ａが上方に突出した状態が施錠状態である。
【００１７】
また、背面からは摘み４ｃを指でつまみ、回転させることで錠前本体４のデッドボルト４ａを上下動させることができ、デッドボルト４ａが上方に突出した状態が施錠状態である。
【００１８】
図６は本発明であるドアの施錠機構を構成する補助錠前の施錠状態を示す背面図、図７は本発明であるドアの施錠機構を構成する補助錠前の開錠状態を示す背面図である。
【００１９】
図６に示すように、上補助錠前３は、扉２ｂの屋内側の背面には錠前本体４、４を取付ネジ７、７、７、７により取り付け、サッシ２ａの背面には受け金具５を取付ネジ７、７・・・により取り付る。
【００２０】
上補助錠前３を構成する錠前本体４は、デッドボルト４ａを支持する錠ケース４ｂと摘み４ｃと本体ライナー４ｄからなり、摘み４ｃを回転させることで、錠ケース４ｂに支持されたデッドボルト４ａを上下動させることができる。
【００２１】
図６に示すように、錠前本体の摘み４ｃを回転させることによりデッドボルト４ａを錠ケース４ｂ上方に突出させることができ、突出させた状態が施錠状態である。
【００２２】
また、図７に示すように、錠前本体４ｃの摘み４ｃを摘んで回転させることにより錠前本体４ｃのデッドボルト４ａを錠ケース４ｂの下端より下方に突出させた状態が開錠状態である。
【００２３】
図６及び図７に示すように、受け金具５は、取付ネジ７を挿通する挿通孔が穿設されている左端部及び右端部の取付部５ａ、５ａと左端部の取付部５ａと右端部の取付部５ａ間に形成されている突出部５ｂとからなる。突出部５ｂの正面には長方形の正面差込孔５ｃが、突出部５ｂの底面には長方形状の底面差込孔５ｄがそれぞれ穿設されている。
【００２４】
突出部５ｂの部分は、室内側に突出している。サッシ２ａと突出部５ｂ間には間隙が形成されていて、この間隙にデッドボルト４ａが差し込まれることにより施錠される。
【００２５】
図６に示すように、錠前本体４の摘み４ｃを回転させ、デッドボルト４ａを錠ケース４ｂ上方に突出させると、デッドボルト４ａは、受け金具５の底面に設けられた底面差込孔５ｄから受け金具５の突出部５ｂ内に形成されている隙間に差し込まれ、それにより上補助錠前３が施錠されることとなる。
【００２６】
また、図１から図３に示したように、ドア２の扉２ｂの下部の左端部に取り付けられた下補助錠前３ａには、受け金具５を設置する必要がなく、下補助錠前３ａを施錠することができる場合もある。
【００２７】
何故ならば、扉２ｂに取り付けた下補助錠前３ａのデッドボルト４ａが差し込まれる部分の床１ｅに直接に差込孔を設けてしまうことで、デッドボルト４ａを差し込む差込孔を設けるためである。勿論、上補助錠前３でも、受け金具５を取り付けるこちとなく、サッシ２ａに直接、デッドボルト４ａの差込孔を設けて施錠することもできる。
【００２８】
図８及び図９は、本発明であるドアの施錠機構を構成する補助錠前の他の受け金具を示した図である。図８は他の受け金具の正面図、図９は他の受け金具の底面図を示す図である。
【００２９】
図８及び図９に示すように、上下補助錠前３、３ａを構成する本例の受け金具８は、縦断面形状がコ字状の形状であるとともに、内部が凹状に形成されていて正面、底面及び上面の３面を有する金具である。
【００３０】
図８に示すように、正面８ａには左端部及び右端部にはネジ挿通孔８ｆ、８ｇが穿設されているとともに、正面の中央部には、錠前本体４のデッドボルト４ａが差し込み可能な長方形状の長方形状の正面差込孔８ｄが穿設されている。
【００３１】
また、図９に示すように、底面８ｃの中央部には、錠前本体４のデッドボルト４ａが差し込み可能な長方形状の長方形状の底面差込孔８ｅｄが穿設されている。上面８ｂには差込孔は穿設されていない。
【００３２】
図１０は、本発明であるドアの施錠機構を構成する上補助錠前の施錠状態を示す拡大断面図である。ドア２のサッシ２ａの屋内の内側の背面には取付ネジ７により受け金具５が取り付けられ、扉２ｂの屋外である外側の表面にはシリンダー３ｂが取り付けられ、扉２ｂの屋内側の背面には取付ネジ７により錠前本体４が取り付けられている。
【００３３】
図１０に示すように、上補助錠前３の施錠状態は、シリンダー３ｂ又は錠前本体４の摘み４ｃを回転させることでデッドボルト４ａを錠前ケース４ｂの上方に突出させ、デッドボルト４ａが受け金具５の底面に設けられた底面差込孔５ｄから受け金具内５ｂ内部の間隙に差し込まれた状態である。
【００３４】
図１１及び図１２は、本発明であるドアの施錠機構の第２実施例を示した図である。本発明であるドアの施錠機構の第２実施例の施錠機構９は、ドアの扉が室内方向開く内開きになるように取り付けられた場合の実施例である。
【００３５】
図１１は本発明であるドアの施錠機構の第２実施例の補助錠前の背面図、図１２は本発明であるドアの施錠機構の第２実施例の補助錠前の施錠状態を示す拡大断面図である。
【００３６】
扉２ｂが内開きの場合に用いる本第２実施例の施錠機構９でも、扉２ｂに設置された上下補助錠前３、３ａを取り付け使用する。即ち、扉２ｂの屋外側の表面には上補助錠前３のシリンダー３ｂが、扉２ｂの室内側の背面には錠前本体４が取付ネジ７、７、７、７により取り付け、ドア２のサッシ２ａの背面には受け金具５を取付ネジ７により取り付ける。
【００３７】
錠前本体４のデッドボルト４ａが受け金具５の底面にある底面差込孔５ｄに差し込める位置になるようにするには、錠前本体４の本体ライナー４ｄにより錠前本体４の厚みを調節する。
【００３８】
図１３及び図１４は、本発明であるドアの施錠機構の第３実施例を示した図である。本第３実施例の施錠機構１０は、ドアの扉が屋外方向に開く外開の場合である。扉２ｂを抑えるサッシ２ａの突出部２ｈの巾が広くなっているドア２の場合に用いる。
【００３９】
図１３は本発明であるドアの施錠機構の第３実施例の補助錠前の背面図、図１４は本発明であるドアの施錠機構の第３実施例の補助錠前の施錠状態を示す拡大断面図である。
【００４０】
本発明であるドアの施錠機構の第３実施例の施錠機構１０では、扉２ｂの上部の左端部に上補助錠前３を取り付けるとともに、下部の左端部には下補助錠前３ａを取り付けることは同様であるが、受け金具５の取付位置が他の実施例と違う点に特徴がある。
【００４１】
本例の施錠機構１０は、扉２ｂを抑える為のサッシ２ａの突出部２ｈの巾が広くなっているので、突出部２ｈに受け金具５を取り付けることができる。即ち、サッシ２ａの突出部２ｈに受け金具５の正面が下を向くようにして取付ネジ７により受け金具５を取り付ける。
【００４２】
錠前本体４は、扉２ｂに取り付けられ、デッドボルト４ａを錠前ケース４ｂの上方に突出させると、デッドボルト４ａは、サッシ２ａの突出部２ｈに取り付けられた受け金具５の正面にある正面差込孔５ｃから受け金具５の取付部５ａ内に差し込まれる。
【００４３】
本発明であるドアの施錠機構の第１実施例から第３実施例のいずれも、玄関１の外側から上補助錠前３の開閉を行う場合には、シリンダー３ｂの鍵穴に鍵６を差し込み回転させることで上下補助錠前３、３ａの開閉ができる。
【００４４】
また、玄関１の内側から上補助錠前３の開閉を行う場合には、錠前本体４に設けられた摘み４ｃを指でつまみ回転させることで、扉２ｂの上部の左端部に取り付けられている上補助錠前３の開閉ができる。
【００４５】
また、扉２ｂの下部の左端部に取り付けた下補助錠前３ａでは、受け金具５を使わずに床１ｅに直接受け穴を設け、デッドボルト４ａを受けるようにするが、勿論、受け穴を設けられない床の場合等には、受け金具５、８を用いても構わない。
【００４６】
図１５は、本発明であるドアの施錠機構の第４実施例の施錠状態を示す背面図である。本発明である施錠機構のドア２の下側に取り付ける鍵本体４の受け手となる床１ｅがコンクリートやタイルなどの場合、床１ｅに設けた孔の周囲から崩れやすく、鍵の意味が無くなってしまう。そこで、孔を空けた床１ｅの中に受け金具８を埋め込んで使用することで本発明が本来持つ安全性を損なわずに使用することが出来る。
【００４７】
【発明の効果】
本発明は、以上に説明したような構成であるから、以下の効果が得られる。第１に、扉の上部の左端部及び下部の左端部に上下補助錠前を取り付けるとともに、扉の左端部の中央部に本錠前を取り付けることにより、錠前が１個の場合よりも強固な防犯対策となる。
【００４８】
第２に、本発明であるドアの施錠機構の補助錠前は取付ネジ等により簡単に取り付けることができ、ドアの外側に現れるシリンダーには取付ネジ等を用いない為に、外側から錠を壊して侵入することが困難となり、より優れた防犯効果を得られる。
【００４９】
第３に、ドアの外側には小さなシリンダーが取り付けられるのみなので、玄関の美観を損なうことなく、取り付けることができる。
【図面の簡単な説明】
【図１】本発明であるドアの施錠機構を用いたドアの正面図である。
【図２】本発明であるドアの施錠機構を用いたドアの背面図である。
【図３】本発明であるドアの施錠機構を用いたドアの左側面図である。
【図４】本発明であるドアの施錠機構を構成する上補助錠前の正面方向から見た斜視図である。
【図５】本発明であるドアの施錠機構を構成する上補助錠前の背面方向から見た斜視図である。
【図６】本発明であるドアの施錠機構を構成する補助錠前の施錠状態の背面図である。
【図７】本発明であるドアの施錠機構を構成する補助錠前の開錠状態の背面図である。
【図８】本発明であるドアの施錠機構を構成する補助錠前の受け金具の正面図である。
【図９】本発明であるドアの施錠機構を構成する補助錠前の受け金具の底面図である。
【図１０】本発明であるドアの施錠機構を構成する補助錠前の施錠状態を示す拡大断面図である。
【図１１】本発明であるドアの施錠機構の第２実施例の補助錠前の背面図である。
【図１２】本発明であるドアの施錠機構の第２実施例の補助錠前の施錠状態を示す拡大断面図である。
【図１３】本発明であるドアの施錠機構の第３実施例の補助錠前の背面図である。
【図１４】本発明であるドアの施錠機構の第３実施例の補助錠前の施錠状態を示す拡大断面図である。
【図１５】本発明であるドアの施錠機構の第４実施例の施錠状態を示す背面図である。
【符号の説明】
１          玄関
１ａ        外灯
１ｂ        窓
１ｃ        インターホン
１ｄ        外壁
１ｅ        床
１ｆ        内壁
２          ドア
２ａ        サッシ
２ｂ        扉
２ｃ        本錠前
２ｄ、２ｅ  蝶番
２ｆ        ドアノブ
２ｇ        扉開閉具
２ｈ        突出部
３          上補助錠前
３ａ        下補助錠前
３ｃ        シリンダー
３ｄ        シリンダー
４          錠本体
４ａ        デッドボルト
４ｂ        錠ケース
４ｃ        摘み
４ｄ        本体ライナー
５          受け金具
５ａ        取付部
５ｂ        突出部
５ｃ        正面差込孔
５ｄ        底面差込孔
６          鍵
７          取付ネジ
８          受け金具
８ａ        正面
８ｂ        上面
８ｃ        底面
８ｄ        正面差込孔
８ｅ        底面差込孔
８ｆ        ネジ挿通孔
８ｇ        ネジ挿通孔
９          施錠機構
１０          施錠機構
【図１】
2004197407.tif 000003
【図２】
2004197407.tif 000004
【図３】
2004197407.tif 000005
【図４】
2004197407.tif 000006
【図５】
2004197407.tif 000007
【図６】
2004197407.tif 000008
【図７】
2004197407.tif 000009
【図８】
2004197407.tif 000010
【図９】
2004197407.tif 000011
【図１０】
2004197407.tif 000012
【図１１】
2004197407.tif 000013
【図１２】
2004197407.tif 000014
【図１３】
2004197407.tif 000015
【図１４】
2004197407.tif 000016
【図１５】
2004197407.tif 000017